(57)【要約】【課題】簡便な操作でホーム画面を表示させるためのホーム画面表示情報とアプリケーションとを配信するアプリケーション配信システムを提供する。【解決手段】モバイル端末との通信を行う通信部と、記憶部と、処理部と、を備えるアプリケーション配信装置において、記憶部には、モバイル端末で動作するアプリケーションと、ホーム画面を表示させるためのホーム画面表示情報と、がそれぞれ複数記憶されており、ホーム画面表示情報は、それぞれ、ホーム画面表示情報にかかるホーム画面を表示するために必要なアプリケーションの情報を含み、処理部は、モバイル端末からホーム画面表示情報の配信リクエストを受信したときに、当該ホーム画面表示情報を、モバイル端末に配信し、モバイル端末からアプリケーションの配信リクエストを受信したときに、当該アプリケーションをモバイル端末に配信する処理を行うものであることを特徴とする。【選択図】図１
2012231196.tif 000002
【特許請求の範囲】
【請求項１】
モバイル端末との通信を行う通信部と、
記憶部と、
処理部と、
を備えるアプリケーション配信装置において、
前記記憶部には、前記モバイル端末で動作するアプリケーションと、ホーム画面を表示させるためのホーム画面表示情報と、がそれぞれ複数記憶されており、
前記ホーム画面表示情報は、それぞれ、ホーム画面表示情報にかかるホーム画面を表示するために必要な前記アプリケーションの情報を含み、
前記処理部は、
前記モバイル端末から前記ホーム画面表示情報の配信リクエストを受信したときに、当該ホーム画面表示情報を、前記モバイル端末に配信し、
前記モバイル端末から前記アプリケーションの配信リクエストを受信したときに、当該アプリケーションを前記モバイル端末に配信する処理を行うものである、
ことを特徴とするアプリケーション配信装置。
【請求項２】
請求項１に記載のアプリケーション配信装置において、
前記記憶部には、前記ホーム画面を選択させるホーム画面選択情報がさらに記憶されており、
前記処理部は、さらに
前記モバイル端末から前記ホーム画面選択情報の配信リクエストを受信したときに、前記ホーム画面選択情報を、前記モバイル端末に配信する処理を行うものである、
ことを特徴とするアプリケーション配信装置。
【請求項３】
アプリケーション配信装置との通信を行う通信手段と、
ホーム画面を表示する表示手段と、
入力を行う入力手段と、
記憶手段と、
処理手段と、を備えるモバイル端末において、
前記記憶手段は、アプリケーションと、前記ホーム画面を表示させるホーム画面表示情報と、前記ホーム画面表示情報の表示順と、が記憶されるものであり、
前記ホーム画面表示情報は、それぞれ、ホーム画面表示情報にかかるホーム画面を表示するために必要なアプリケーションの情報を含み、
前記処理手段は、前記ホーム画面表示情報に基づき前記表示手段にホーム画面を表示させ、
前記入力手段によってホーム画面変更操作がされた場合に、前記表示順が次である前記ホーム画面表示情報に基づき前記表示手段にホーム画面を表示させる処理を行うものであることを特徴とするモバイル端末。
【請求項４】
請求項３に記載のアプリケーション配信装置において、
前記処理手段はさらに、
前記ホーム画面表示情報を前記アプリケーション配信装置から受信したときに、当該ホーム画面表示情報にかかるホーム画面を表示するために必要なアプリケーションが前記記憶手段に記憶されているか否かを判定し、記憶されていないアプリケーションがあった場合に、当該アプリケーションの配信リクエストを前記アプリケーション配信装置に送信し、
前記アプリケーション配信装置から前記アプリケーションを受信したときに、前記アプリケーションが必要な前記ホーム画面表示情報の表示順を決定し、当該表示順と、前記アプリケーションと、を前記記憶手段に記憶する処理を行うものである、
ことを特徴とするモバイル端末。
【請求項５】
請求項４に記載のモバイル端末において、
前記処理手段はさらに、前記アプリケーション配信装置からホーム画面を選択させるための選択画面を表示させるホーム画面選択情報を受信したときに、前記ホーム画面選択情報に基づき前記表示手段に選択画面を表示させ、
前記入力手段により使用するホーム画面が選択されたときに、当該ホーム画面を表示するためのホーム画面表示情報のリクエストをアプリケーション配信装置に送信する処理を行うものである、
ことを特徴とするモバイル端末。
【請求項６】
請求項１に記載のアプリケーション配信装置と、
請求項３に記載のモバイル端末と、
を備えたアプリケーション配信システム。
【請求項７】
請求項２に記載のアプリケーション配信装置と、
請求項５に記載のモバイル端末と、
を備えたアプリケーション配信システム。
【発明の詳細な説明】
【技術分野】
【０００１】
本発明は、詳しくはモバイル端末にアプリケーションを配信するシステムに関する。
【背景技術】
【０００２】
近年、スマートフォン、タブレット型コンピューター等の携帯情報端末が普及している。このような端末では、簡単な操作でさまざまなアプリケーション等を使用するために、図５に示すように、アプリケーションのショートカット、ウィジェット、画像等のコンテンツが配置されたホーム画面を、その表示手段に表示させて使用される。このようなホーム画面を複数記憶しておき、複数のホーム画面を切り替えながら使用することができる。
【０００３】
しかしながら、購入時においては、端末にはホーム画面やアプリケーションはほとんど記憶されていない。このため、使い勝手性の高いホーム画面を構築するためには、アプリケーションや画像等の検索、ダウンロード、ホーム画面への配置という多大な手間を必要とする。このため、利便性の良さそうなホーム画面例をみたとしても、ユーザが同じホーム画面を再現することは難しい。
【０００４】
ところで、特許文献１は、携帯情報端末に放送やネットワーク上のコンテンツを配信するシステムを提案している。
【先行技術文献】
【特許文献】
【０００５】
【特許文献１】ＷＯ２００７／０４３４８３号
【０００６】
特許文献１は、ユーザの操作により放送や情報を選択して受信しユーザに提示する受信装置において、チャンネルセット管理部を備え、チャンネルセット管理部が、受信装置により受信する放送およびインターネットなどネットワーク上のコンテンツに対応する複数のチャンネルを、一定の規則に基づき、一定の取り扱い単位であるチャンネルグループにまとめて取り扱う技術に関する。この技術によると、チャンネルの数が増えた場合でも、全てのチャンネルを区分けせず同列に扱う場合に比べ、ユーザは容易に多くのチャンネルを扱うことができるとされる。
【０００７】
しかしながら、一般的なパーソナルコンピュータやタブレット端末、スマートフォン等の情報処理端末のホーム画面は、構成要素を全てネットワーク上で構築する訳ではなく、インストールされたアプリケーションにより生成されるものが多数含まれており、このため、特許文献１にかかる配信システムを、そのままホーム画面を配信するシステムに適用することはできない。
【発明の概要】
【発明が解決しようとする課題】
【０００８】
本発明は、以上に鑑み完成されたものであり、簡単な操作でホーム画面を構築することのできるアプリケーション配信装置とモバイル端末とを備えたアプリケーション配信装置システムを提供することを目的とする。
【課題を解決するための手段】
【０００９】
上記課題を解決するためのアプリケーション配信装置にかかる第１の本発明は、次のように構成されている。
モバイル端末との通信を行う通信部と、記憶部と、処理部と、を備えるアプリケーション配信装置において、前記記憶部には、前記モバイル端末で動作するアプリケーションと、前記ホーム画面を表示させるためのホーム画面表示情報と、がそれぞれ複数記憶されており、前記ホーム画面表示情報は、それぞれ、ホーム画面表示情報にかかるホーム画面を表示するために必要な前記アプリケーションの情報を含み、前記処理部は、前記モバイル端末から前記ホーム画面表示情報の配信リクエストを受信したときに、当該ホーム画面表示情報を、前記モバイル端末に配信し、前記モバイル端末から前記アプリケーションの配信リクエストを受信したときに、当該アプリケーションを前記モバイル端末に配信する処理を行うものであることを特徴とする。
【００１０】
上記構成のアプリケーション配信装置では、ホーム画面を表示するためのホーム画面表示情報を配信する。このため、ユーザがアプリケーション等を配置してホーム画面を構築する手間が不要となる。
【００１１】
また、上記構成のアプリケーション配信装置では、配信されるホーム画面表示情報には、ホーム画面表示情報にかかるホーム画面を表示するために必要なアプリケーションの情報が含まれている。したがって、ホーム画面表示情報をモバイル端末が取得した時、ホーム画面表示情報に含まれるアプリケーションの情報を用いて、ホーム画面を表示するために必要なアプリケーションが既にモバイル端末に記憶されているか否かを簡便に判定できる。この判定情報を利用することにより、アプリケーション配信装置は、モバイル端末に必要なアプリケーションのみを配信できる。よって、ユーザの操作負担を増加させることなく、ホーム画面を表示させるホーム画面表示情報と、ホーム画面表示情報に基づきホーム画面を表示するために必要なアプリケーションと、をモバイル端末に配信できる。すなわち、アプリケーションの検索、配置という手間を必要とすることなく簡便な操作でホーム画面を構築できる。
【００１２】
アプリケーション配信装置にかかる第２の本発明は、上記アプリケーション配信装置にかかる第１の本発明において、前記記憶部には、前記ホーム画面を選択させるホーム画面選択情報がさらに記憶されており、前記処理部は、さらに前記モバイル端末から前記ホーム画面選択情報の配信リクエストを受信したときに、前記ホーム画面選択情報を、前記モバイル端末に配信する処理を行うものであることを特徴とする。
【００１３】
上記構成では、ユーザにホーム画面を選択させ、選択されたホーム画面を表示するためのホーム画面表示情報を配信することができるので、ユーザの利便性が高まる。
【００１４】
上記課題を解決するためのモバイル端末にかかる第１の本発明は、次のように構成されている。
アプリケーション配信装置との通信を行う通信手段と、ホーム画面を表示する表示手段と、入力を行う入力手段と、記憶手段と、処理手段と、を備えるモバイル端末において、前記記憶手段は、アプリケーションと、前記ホーム画面を表示させるホーム画面表示情報と、前記ホーム画面表示情報の表示順と、が記憶されるものであり、前記ホーム画面表示情報は、それぞれ、ホーム画面表示情報にかかるホーム画面を表示するために必要なアプリケーションの情報を含み、前記処理手段は、前記ホーム画面表示情報に基づき前記表示手段にホーム画面を表示させ、前記入力手段によってホーム画面変更操作がされた場合に、前記表示順が次である前記ホーム画面表示情報に基づき前記表示手段にホーム画面を表示させる処理を行うものであることを特徴とする。
【００１５】
上記構成のモバイル端末では、ホーム画面を表示するためのホーム画面表示情報を受信する。このため、ユーザがアプリケーション等を配置してホーム画面を構築する手間が不要となる。
【００１６】
モバイル端末にかかる第２の本発明は、上記モバイル端末にかかる第１の本発明において、前記処理手段はさらに、前記ホーム画面表示情報を前記アプリケーション配信装置から受信したときに、当該ホーム画面表示情報にかかるホーム画面を表示するために必要なアプリケーションが前記記憶手段に記憶されているか否かを判定し、記憶されていないアプリケーションがあった場合に、当該アプリケーションの配信リクエストを前記アプリケーション配信装置に送信し、前記アプリケーション配信装置から前記アプリケーションを受信したときに、前記アプリケーションが必要な前記ホーム画面表示情報の表示順を決定し、当該表示順と、前記アプリケーションと、を前記記憶手段に記憶する処理を行うものであることを特徴とする。
【００１７】
上記構成のモバイル端末では、受信するホーム画面表示情報には、ホーム画面表示情報にかかるホーム画面を表示するために必要なアプリケーションの情報が含まれている。したがって、ホーム画面表示情報をモバイル端末が受信した時、ホーム画面表示情報に含まれるアプリケーションの情報を用いて、ホーム画面を表示するために必要なアプリケーションが既にモバイル端末に記憶されているか否かを簡便に判定できる。この判定情報を利用することにより、モバイル端末に必要なアプリケーションのみをアプリケーション配信装置に配信させることができる。よって、ユーザの操作負担を増加させることなく、ホーム画面を表示させるホーム画面表示情報と、ホーム画面表示情報に基づきホーム画面を表示するために必要なアプリケーションと、をモバイル端末が受信できる。すなわち、アプリケーションの検索、配置という手間を必要とすることなく簡便な操作でホーム画面を構築できる。
【００１８】
モバイル端末にかかる第３の本発明は、上記モバイル端末にかかる第２の本発明において、前記処理手段はさらに、前記アプリケーション配信装置からホーム画面を選択させるための選択画面を表示させるホーム画面選択情報を受信したときに、前記ホーム画面選択情報に基づき前記表示手段に選択画面を表示させ、前記入力手段により使用するホーム画面が選択されたときに、当該ホーム画面を表示するためのホーム画面表示情報のリクエストをアプリケーション配信装置に送信する処理を行うものであることを特徴とする。
【００１９】
上記構成では、ユーザがホーム画面を選択でき、この選択されたホーム画面を表示するためのホーム画面表示情報をアプリケーション配信装置に配信させることができるので、ユーザの利便性が高まる。
【００２０】
上記課題を解決するためのアプリケーション配信システムにかかる第１の本発明は、上記第１の本発明にかかるアプリケーション配信装置と、上記第１の本発明にかかるモバイル端末と、を備えたものである。また、上記第１の本発明にかかるアプリケーション配信装置と、上記第２の本発明にかかるモバイル端末と、を備えたものとしてもよい。
【００２１】
上記課題を解決するためのアプリケーション配信システムにかかる第２の本発明は、上記第２の本発明にかかるアプリケーション配信装置と、上記第３の本発明にかかるモバイル端末と、を備えたものである。
【発明の効果】
【００２２】
上記で説明したように、本発明によると、簡便な操作で携帯情報端末のホーム画面を構築することができる。
【図面の簡単な説明】
【００２３】
【図１】図１は、実施の形態に係るアプリケーション配信システムを示すブロック図である。
【図２】図２は、実施の形態に係るアプリケーション配信システムの動作フローを示す図である。
【図３】図３は、実施の形態に係るアプリケーション配信システムのモバイル端末におけるホーム画面表示の動作フローを示す図である。
【図４】図４は、実施の形態に係るアプリケーション配信システムのモバイル端末の表示手段に表示される画面の遷移を示す図である。
【図５】図５は、ホーム画面の１例を示す図である。
【図６】図６は、実施の形態に係るアプリケーション配信システムのモバイル端末におけるホーム画面表示情報の削除フローを示す図である。
【図７】図７は、ホーム画面表示情報とアプリケーションの追加を説明する図である。
【発明を実施するための形態】
【００２４】
（実施の形態１）
以下に、本発明を実施するための形態を、図面を用いて詳細に説明する。図１は、本実施の形態に係るアプリケーション配信システムのブロック図である。
【００２５】
本実施の形態にかかるアプリケーション配信システムは、図１に示すように、アプリケーション配信装置１００と、モバイル端末２００と、を備えている。
【００２６】
（アプリケーション配信装置）
アプリケーション配信装置１００は、モバイル端末２００との通信を行う通信部１０３と、記憶部１０１と、処理部１０２と、を備えている。
【００２７】
通信部１０３は、モバイル端末２００との通信を行うものである。この通信部１０３は、有線及び／又は無線通信回線と接続される。この通信部としては特に限定されることはなく、公知の通信装置を用いることができる。
【００２８】
記憶部１０１は、モバイル端末２００で動作するアプリケーションと、ホーム画面を表示させるためのホーム画面表示情報と、がそれぞれ複数記憶されたものである。ホーム画面表示情報は、それぞれ、ホーム画面表示情報にかかるホーム画面を表示するために必要なアプリケーションの情報を含んでいる。記憶部１０１は、ホーム画面を選択させるためのホーム画面選択情報がさらに記憶されていることが好ましい。
【００２９】
記憶部１０１は、不揮発性の記憶装置を備えていればよいが、不揮発性の記憶装置に加えて、揮発性の記憶装置を備えていてもよい。不揮発性の記憶装置としては、特に限定されることはなく、ハードディスク、半導体メモリ等を用いることができる。揮発性の記憶装置としては、特に限定されることはなく、ランダムアクセスメモリ等を用いることができる。また、それぞれの情報ごとに記憶装置が用意されていてもよく、１つの記憶装置のみからなる構成であってもよく、これ以外であってもよい。
【００３０】
処理部１０２は、次のような処理を行うものである。
（１）  モバイル端末２００からホーム画面表示情報の配信リクエストを受信したときに、当該ホーム画面表示情報を、モバイル端末２００に配信する。
（２）  モバイル端末２００からアプリケーションの配信リクエストを受信したときに、当該アプリケーションをモバイル端末２００に配信する。
【００３１】
処理部１０２はさらに、次のような処理をさらに行うものであることが好ましい。
（３）モバイル端末２００からホーム画面選択情報の配信リクエストを受信したときに、ホーム画面選択情報を、モバイル端末２００に配信する。
なお、処理部１０２は、これら以外の処理をさらに行うものであってもよい。
【００３２】
処理部１０２としては特に限定されることはなく、中央処理装置（ＣＰＵ），マイクロプロセッサ（ＭＰＵ）等の公知の処理装置を用いることができる。また、上記（１）〜（３）の処理ごとにそれぞれ処理装置が用意されていてもよく、１つの処理装置が全ての処理を行う構成であってもよく、これ以外であってもよい。
【００３３】
（モバイル端末２００）
モバイル端末２００は、アプリケーション配信装置１００との通信を行う通信手段２０３と、記憶手段２０１と、処理手段２０２と、ホーム画面を表示する表示手段２０４と、入力を行う入力手段２０５と、を備えている。
【００３４】
モバイル端末２００の通信手段２０３は、アプリケーション配信装置１００との通信を行うものである。この通信手段２０３は、有線及び／又は無線通信回線と接続される。この通信手段としては特に限定されることはなく、公知の通信装置を用いることができる。
【００３５】
モバイル端末２００の記憶手段２０１は、アプリケーションと、ホーム画面を表示させるホーム画面表示情報と、ホーム画面表示情報の表示順と、が記憶されるものである。
【００３６】
記憶手段２０１は、少なくとも不揮発性の記憶装置を備えている。不揮発性の記憶装置に加えて、揮発性の記憶装置を備えていてもよい。不揮発性の記憶装置としては、特に限定されることはなく、ハードディスク、半導体メモリ等を用いることができる。揮発性の記憶装置としては、特に限定されることはなく、ランダムアクセスメモリ等を用いることができる。また、それぞれの情報ごとに記憶装置が用意されていてもよく、１つの記憶装置のみからなる構成であってもよく、これ以外であってもよい。
【００３７】
また、初期（出荷時）において、記憶手段２０１には、アプリケーション、ホーム画面表示情報や表示順が記憶されていない構成であってもよく、ホーム画面表示情報が１つのみ記憶され、表示順が記憶されていない構成であってもよい。
【００３８】
処理手段２０２は、次のような処理を行うものである。
（１）ホーム画面表示情報に基づき表示手段２０４にホーム画面を表示させる。
（２）入力手段によってホーム画面変更操作がされた場合に、表示順が次であるホーム画面表示情報に基づき表示手段２０４にホーム画面を表示させる。
【００３９】
処理手段２０２は、次のような処理をさらに行うものであることが好ましい。
（３）ホーム画面表示情報をアプリケーション配信装置１００から受信したときに、当該ホーム画面表示情報にかかるホーム画面を表示するために必要なアプリケーションが記憶手段２０１に記憶されているか否かを判定し、記憶されていないアプリケーションがあった場合に、当該アプリケーションの配信リクエストをアプリケーション配信装置１００に送信する。
（４）アプリケーション配信装置１００からアプリケーションを受信したときに、アプリケーションが必要なホーム画面表示情報の表示順を決定し、当該表示順と、アプリケーションと、を記憶手段２０１に記憶する。
（５）通信手段２０３を介してアプリケーション配信装置１００からホーム画面を選択させるための選択画面を表示させるホーム画面選択情報を受信したときに、ホーム画面選択情報に基づき表示手段２０４に選択画面を表示させる。
（６）入力手段２０５により使用するホーム画面が選択されたときに、当該ホーム画面を表示するためのホーム画面表示情報のリクエストをアプリケーション配信装置１００に送信する。
なお、処理手段２０２は、これら以外の処理をさらに行うものであってもよい。
【００４０】
処理手段２０２としては特に限定されることはなく、中央処理装置（ＣＰＵ），マイクロプロセッサ（ＭＰＵ）等の公知の処理装置を用いることができる。また、それぞれの処理ごとに処理装置が用意されていてもよく、１つの処理装置のみからなる構成であってもよく、それ以外であってもよい。
【００４１】
表示手段２０４は、ホーム画面等を表示するものである。表示手段２０４としては特に限定されることはなく、液晶ディスプレイ、有機ＥＬディスプレイ等の公知の表示手段を用いることができる。また、タッチパネルのような入力をも行うことのできる入力表示手段を用いてもよい。タッチパネルとしては、静電容量式、抵抗膜式、赤外線式、電磁誘導式、表面弾性波等を用いることができる。
【００４２】
入力手段２０５は、ホーム画面の切り替え操作やホーム画面の決定操作等の各種入力操作を行うものである。入力手段２０５としては特に限定されることはなく、ボタン、スイッチ、キーボード等の公知の入力手段を用いることができる。また、上述したような入力表示手段であってもよく、複数の入力手段を備えていてもよい。
【００４３】
（ホーム画面）
ホーム画面について、モバイル端末の画面表示を示す図５を用いて説明する。
ホーム画面とは、図５に示すように、モバイル端末の表示手段に表示される、モバイル端末の操作性を高めるためのカスタマイズが可能なデスクトップ画面であり、コンテンツ（背景（壁紙）画像、アプリケーション（ウィジェット（Ｗｉｄ））、ショートカット、バナー広告等）が、それぞれの表示位置に表示されて構成される。本実施の形態では、このホーム画面は、ホーム画面表示情報に基づいて表示される。
【００４４】
モバイル端末の表示手段には、ホーム画面とともに、ホーム、戻る、管理等の操作ボタンや、ゴミ箱、新着等のアイコン等が表示されることがある。
【００４５】
（記憶部や記憶手段に記憶される情報）
ホーム画面選択情報とは、使用するホーム画面の候補をユーザに提示し、選択させるためのものである。
【００４６】
ホーム画面表示情報とは、この情報に基づいてモバイル端末の表示手段にホーム画面を表示させるものである。このホーム画面表示情報には、ホーム画面表示情報には、背景（壁紙）画像、アプリケーション（ウィジェット）、ショートカット、バナー広告等の表示コンテンツと、その表示位置（レイアウト）に関する情報と、このホーム画面表示情報にかかるホーム画面を表示するために必要なアプリケーションの情報と、が含まれている。
【００４７】
アプリケーションとは、モバイル端末上で実行したい作業を実施する機能を直接的に有するソフトウェアである。
【００４８】
モバイル端末の記憶手段では、ホーム画面表示情報の表示順が記憶される。この表示順は、どのようなものであってもよく、例えば、当該ホーム画面上のアプリケーション等の使用頻度順、登録順等を用いることができ、このような情報が表示順にかかわる情報として記憶される。
【００４９】
これらの情報の記述形式（ファイル形式）は、特に限定されることはない。例えば、ホーム画面表示情報やホーム画面選択情報は、ＸＭＬ形式、ＨＴＭＬ形式等を用いることができる。
【００５０】
次に、このアプリケーション配信システムの動作フローを、図２を用いて説明する。
【００５１】
（ステップＳ１０１）
ユーザが、モバイル端末２００を操作して、ホーム画面選択のためのアプリケーションを起動させると、この情報は、通信手段２０３を介してアプリケーション配信装置１００に送信される。例えば、新規のホーム画面が追加された場合に、ユーザに通知を行うことにより、起動を促す構成とすることができる。
【００５２】
（ステップＳ１０２）
アプリケーション配信装置１００の処理部１０２が、記憶部１０１に記憶されたホーム画面選択情報を、通信部１０３を介してモバイル端末２００に配信する。
【００５３】
（ステップＳ１０３）
モバイル端末２００の処理手段２０２が、受信したホーム画面選択情報に基づき、ホーム画面選択画面を表示手段２０４に表示させる。
【００５４】
（ステップＳ１０４）
ユーザが、モバイル端末２００の入力手段２０５を操作して、使用するホーム画面を決定する。
【００５５】
（ステップＳ１０５）
モバイル端末２００の処理手段２０２が、新規に選択されたホーム画面があるか否かを判定する。ない場合には、終了に移行し、ステップＳ１０６に移行する。
【００５６】
（ステップＳ１０６）
ホーム画面表示情報の配信リクエストが、通信手段２０３を介して、アプリケーション配信装置１００に送信される。
【００５７】
（ステップＳ１０７）
アプリケーション配信装置１００の処理部１０２が、配信リクエストのあったホーム画面表示情報を、通信部１０３を介してモバイル端末２００に配信する。このホーム画面表示情報は、モバイル端末２００の記憶手段２０１に記憶される。
【００５８】
（ステップＳ１０８）
モバイル端末２００の処理手段２０２が、受信し記憶したホーム画面表示情報に含まれているアプリケーションの情報にかかるアプリケーションが、すべて記憶手段２０１に記憶（インストール）されているか否かを判定する。全てインストールされている場合にはステップＳ１１２に移行し、インストールされていないアプリケーションがある場合には、ステップＳ１０９に移行する。
【００５９】
（ステップＳ１０９）
モバイル端末２００の処理手段２０２が、インストールの必要なアプリケーションの配信リクエストを、通信手段２０３を介してアプリケーション配信装置１００に送信する。
【００６０】
（ステップＳ１１０）
アプリケーション配信装置１００の処理部１０２が、配信リクエストのあったアプリケーションを、通信部１０３を介してモバイル端末２００に配信する。
【００６１】
（ステップＳ１１１）
モバイル端末２００の処理手段２０２が、アプリケーション配信装置から配信されたアプリケーションを、記憶手段２０１にインストールする。
【００６２】
（ステップＳ１１２）
モバイル端末２００の処理手段２０２が、追加されたホーム画面表示情報の表示順を決定し、記憶手段に記憶する。この後、再度ホーム画面を選択する画面を表示するステップＳ１０３に移行する。
【００６３】
以上のフローによるホーム画面表示情報及びアプリケーションの追加について、図７を用いて具体的に説明する。
ここでは、図７の上段に示すように、ホーム画面１はアプリケーションＡ及びＢ、ホーム画面２はアプリケーションＢ及びＣ、ホーム画面３はアプリケーションＡ及びＣを使用するものとする。また、初期の段階（図７（ａ）参照）においては、モバイル端末の記憶手段２０１には、ホーム画面１〜３、アプリケーションＡ〜Ｃは、いずれも記憶されていないものとする。
【００６４】
まず、ホーム画面１を受信する場合を説明する（図７（ｂ）参照）。アプリケーション配信装置１００が、ホーム画面１の表示情報を配信し、モバイル端末が受信（ダウンロード）・記憶すると（ステップＳ１０７）、ホーム画面１の表示情報には、アプリケーションＡ及びＢの情報が含まれているので（図７（ｂ）上段参照）、モバイル端末２００の処理手段２０２は、アプリケーションＡ及びＢのインストールの有無を確認する（ステップＳ１０８）。
【００６５】
この場合、アプリケーションＡ及びＢはいずれもインストールされていないので、必要なアプリケーションがアプリケーションＡ及びＢと決定される（図７（ｂ）中段参照）。このアプリケーションＡ及びＢのリクエストが、次のステップであるステップＳ１０９でアプリケーション配信装置１００に送信される。
【００６６】
アプリケーションＡ及びＢが、アプリケーション配信装置１００から配信され、記憶手段２０１に記憶（インストール）される（図７（ｂ）下段参照、ステップＳ１１０，１１１）。この後、表示順が決定、記憶される（ステップＳ１１２）。
【００６７】
次に、ステップＳ１０３に戻り、ステップＳ１０４でホーム画面２を受信する場合を説明する。アプリケーション配信装置１００が、ホーム画面２の表示情報を配信し、モバイル端末が受信（ダウンロード）・記憶すると（ステップＳ１０７）、ホーム画面２の表示情報には、アプリケーションＢ及びＣの情報が含まれているので（図７（ｃ）上段参照）、ステップＳ１０８では、モバイル端末２００の処理手段２０２は、アプリケーションＢ及びＣのインストールの有無を確認する（ステップＳ１０８）。
【００６８】
この場合、アプリケーションＢは既にインストールされているが、アプリケーションＣはインストールされていない。よって、必要なアプリケーションはアプリケーションＣと決定される（図７（ｃ）中段参照）。このアプリケーションＣのリクエストが、次のステップＳ１０９でアプリケーション配信装置１００に送信される。
【００６９】
アプリケーションＣが、アプリケーション配信装置１００から配信され、記憶手段２０１に記憶（インストール）される（図７（ｃ）下段参照、ステップＳ１１０，１１１）。この後、表示順が決定、記憶される（ステップＳ１１２）。
【００７０】
次に、ステップＳ１０３に戻り、ステップＳ１０４でホーム画面３を受信する場合を説明する。アプリケーション配信装置１００が、ホーム画面３の表示情報を配信し、モバイル端末が受信（ダウンロード）・記憶すると（ステップＳ１０７）、ホーム画面３の表示情報には、アプリケーションＡ及びＣの情報が含まれているので（図７（ｄ）上段参照）、ステップＳ１０８では、モバイル端末２００の処理手段２０２は、アプリケーションＡ及びＣのインストールの有無を確認する（ステップＳ１０８）。
【００７１】
この場合、アプリケーションＡ及びＣは既にインストールされており、新規にダウンロードするアプリケーションはない（図７（ｄ）中段参照）。このため、ステップＳ１１２に移行して、表示順が決定、記憶されることになる（図７（ｄ）下段参照）。
【００７２】
次に、モバイル端末における表示手段の表示の切り替え動作を、図３のフローを用いて説明する。
【００７３】
（ステップＳ２０１）
モバイル端末２００のホーム画面を起動させる操作が行われると、処理手段２０２は、表示順の読み込みを行う。
【００７４】
（ステップＳ２０２）
そして、処理手段２０２は、表示順が最初のホーム画面表示情報を決定する。
【００７５】
（ステップＳ２０３）
処理手段２０２は、最初に表示させるホーム画面を構築できる状態になっているか否かを判定する。なっている場合はステップＳ２０６に移行し、なっていない場合には、ステップＳ２０４に移行する。
【００７６】
（ステップＳ２０４）
処理手段２０２は、表示順が最初のホーム画面表示情報を読み込む。
【００７７】
（ステップＳ２０５）
処理手段２０２は、表示順が最初のホーム画面表示情報から、ホーム画面を構築する。
【００７８】
（ステップＳ２０６）
処理手段２０２は、構築されたホーム画面を表示手段２０４に表示する。
【００７９】
（ステップＳ２０７）
処理手段２０２は、ユーザがホームボタンを押したか否かを判定する。押した場合には、ステップＳ２０８に移行する。
【００８０】
（ステップＳ２０８）
処理手段２０２は、ユーザがホームボタンを押したときに、ホーム画面が表示されていたか否かを判定する。ホーム画面が表示されていた場合には、ステップＳ２１０に移行し、ホーム画面が表示されていなかった場合には、ステップＳ２０９に移行する。なお、ホーム画面が表示されていない場合とは、アプリケーションが起動されている場合等を意味する。
【００８１】
（ステップＳ２０９）
処理手段２０２は、最後に表示したホーム画面を次に表示するホーム画面と決定し、ステップＳ２０３に移行する。
【００８２】
（ステップＳ２１０）
処理手段２０２は、表示順が次順位のホーム画面を次に表示するホーム画面と決定し、ステップＳ２０３に移行する。
【００８３】
上記のフローにより、モバイル端末の表示手段に表示される画面例を、図４を用いて説明する。ここでは、登録されているホーム画面は、ホーム画面１〜３であり、最初に表示されるホーム画面は、ホーム画面１である例を用いて説明する。
【００８４】
ステップＳ２０１〜２０５により、最初に表示するホーム画面１が構築され、ステップＳ２０６にて表示手段２０４に表示される。
【００８５】
ユーザがアプリケーションを起動した場合、起動したアプリケーションＡ又はＢの画面が表示される。アプリケーションを起動しない場合は、ホーム画面１が表示されたままである。また、アプリケーションを起動している場合、決定や戻る等の入力により、アプリ内で画面遷移が起こりうる。
【００８６】
ユーザがホームボタンを押したとき、表示手段２０４には、ホーム画面が表示されているか、アプリケーションＡ又はＢの画面が表示されているかのいずれかである。ホーム画面が表示されている場合にはステップＳ２１０、アプリケーションの画面である場合にはステップＳ２０９に移行することになる。
【００８７】
なお、ボタン操作は、上記の例に限定されるものではなく、例えば他のボタンにホームボタンや戻るボタンと同様の機能を持たせることができる。
【００８８】
次に、不要となったホーム画面の削除のフローを、図６を用いて説明する。
【００８９】
（ステップＳ３０１）
モバイル端末２００のホーム画面削除機能を起動させる操作が行われる。
【００９０】
（ステップＳ３０２）
処理手段２０２は、ホーム画面削除機能を起動させるための画面を構築する。
【００９１】
（ステップＳ３０３）
ユーザが不要なホーム画面を決定する。
【００９２】
（ステップＳ３０４）
処理手段２０２が、決定したホーム画面を削除した場合に、不要となるアプリケーションがあるか否かを判定する。不要アプリケーションがある場合にはステップＳ３０５に移行し、ない場合にはステップＳ３０７に移行する。
【００９３】
（ステップＳ３０５）
処理手段２０２が、不要アプリケーションを削除する旨を通知する画面を、表示手段２０４に表示する。
【００９４】
（ステップＳ３０６）
ユーザによる確認後、処理手段２０２が、記憶手段２０１の不要アプリケーションをアンインストールする。
【００９５】
（ステップＳ３０７）
処理手段２０２が、決定された不要なホーム画面表示情報を、記憶手段２０１から削除する。
【００９６】
（ステップＳ３０８）
処理手段２０２が、ホーム画面表示情報の削除に伴い、ホーム画面表示情報の表示順を変更して記憶する。
【産業上の利用可能性】
【００９７】
以上に説明したように、本発明によると、簡単な操作でもってモバイル端末の表示手段に表示するホーム画面を構築できるアプリケーション配信システムを実現できる。よって、本発明の産業上の利用可能性は大きい。
【符号の説明】
【００９８】
１００  アプリケーション配信装置
１０１  記憶部
１０２  処理部
１０３  通信部
２００  モバイル端末
２０１  記憶手段
２０２  処理手段
２０３  通信手段
２０４  表示手段
２０５  入力手段
【図１】
2012231196.tif 000003
【図２】
2012231196.tif 000004
【図３】
2012231196.tif 000005
【図４】
2012231196.tif 000006
【図５】
2012231196.tif 000007
【図６】
2012231196.tif 000008
【図７】
2012231196.tif 000009